(57)【特許請求の範囲】
【請求項１】
基礎上に設けられた建物をジャッキ装置によりジャッキアップする際に当該建物に取り付けられた状態で用いられる建物のジャッキアップ用取付部材であって、
前記基礎上に設置された同一の柱から互いに直交する方向に延びる２つの床梁にそれぞれ取り付けられ、その取付状態において取付対象である前記床梁を上方に向けて押圧する押圧面部を有する一対の床梁取付部と、
前記各床梁取付部の前記取付状態において前記各床梁の角部に位置する前記柱に対して角部内側に配置され、前記押圧面部に前記床梁を上方に向けて押圧する押圧力を生じせるべく前記ジャッキ装置による押し上げ力が付与される押し上げ力付与部と、
を備え、
前記各床梁取付部はそれぞれ前記取付対象の前記床梁において前記柱との連結部から当該床梁に沿って延びるように取り付けられるものであり、
前記押し上げ力付与部は、前記各床梁取付部の間の隅角部に配置され、それら各床梁取付部を互いに連結していることを特徴とする建物のジャッキアップ用取付部材。
【請求項２】
前記各床梁取付部はそれぞれ前記取付対象の前記床梁に取り付けられた状態において、前記柱の側面部に当接する柱当接部を有していることを特徴とする請求項１に記載の建物のジャッキアップ用取付部材。
【請求項３】
基礎上に設けられた建物をジャッキ装置によりジャッキアップする際に当該建物に取り付けられた状態で用いられる建物のジャッキアップ用取付部材であって、
前記基礎上に設置された同一の柱から互いに直交する方向に延びる２つの床梁にそれぞれ取り付けられ、その取付状態において取付対象である前記床梁を上方に向けて押圧する押圧面部を有する一対の床梁取付部と、
前記各床梁取付部の前記取付状態において前記各床梁の角部に位置する前記柱に対して角部内側に配置され、前記押圧面部に前記床梁を上方に向けて押圧する押圧力を生じせるべく前記ジャッキ装置による押し上げ力が付与される押し上げ力付与部と、
を備え、
前記各床梁取付部はそれぞれ前記取付対象の前記床梁に取り付けられた状態において、前記柱の側面部に当接する柱当接部を有していることを特徴とする建物のジャッキアップ用取付部材。
【請求項４】
前記柱に前記各床梁を溶接する際に用いられる裏当て金により構成され、
前記各床梁取付部がそれぞれ前記柱及び前記取付対象の前記床梁にそれぞれ溶接固定されていることを特徴とする請求項１乃至３のいずれか一項に記載の建物のジャッキアップ用取付部材。
【請求項５】
基礎上に設けられた建物をジャッキ装置によりジャッキアップする際に当該建物に取り付けられた状態で用いられる建物のジャッキアップ用取付部材であって、
前記基礎上に設置された同一の柱から互いに直交する方向に延びる２つの床梁にそれぞれ取り付けられ、その取付状態において取付対象である前記床梁を上方に向けて押圧する押圧面部を有する一対の床梁取付部と、
前記各床梁取付部の前記取付状態において前記各床梁の角部に位置する前記柱に対して角部内側に配置され、前記押圧面部に前記床梁を上方に向けて押圧する押圧力を生じせるべく前記ジャッキ装置による押し上げ力が付与される押し上げ力付与部と、
を備え、
前記柱に前記各床梁を溶接する際に用いられる裏当て金により構成され、
前記各床梁取付部がそれぞれ前記柱及び前記取付対象の前記床梁にそれぞれ溶接固定されていることを特徴とする建物のジャッキアップ用取付部材。
【請求項６】
前記各床梁取付部は、前記柱の側面部に当接された状態で溶接固定される柱固定板部を有することを特徴とする請求項４又は５に記載の建物のジャッキアップ用取付部材。
【請求項７】
前記２つの床梁取付部は互いに直交する方向に延びるように形成され、それぞれが前記取付対象である前記床梁に沿って取り付けられるものであり、
前記押圧面部は、前記取付対象の床梁を当該床梁に沿って面接触させた状態で押圧するものであることを特徴とする請求項１乃至６のいずれか一項に記載の建物のジャッキアップ用取付部材。
【請求項８】
前記各床梁は、ウェブと、そのウェブを挟んで上下に対向する一対のフランジとを有する形鋼よりなり、前記ウェブ及び前記各フランジにより形成された溝部をそれら各床梁の間となる梁内側に向けて開放させて配設されており、
前記各床梁取付部はそれぞれ、前記取付対象である前記床梁に対して前記溝部に収容された状態で取り付けられるものであり、
前記押圧面部は、前記床梁において前記溝部上方の前記フランジを下方から押圧するものであることを特徴とする請求項１乃至７のいずれか一項に記載の建物のジャッキアップ用取付部材。
【請求項９】
前記押圧面部の正面視において、前記ジャッキアップ用取付部材の重心位置が前記押し上げ力付与部に位置するように形成されていることを特徴とする請求項１乃至８のいずれか一項に記載の建物のジャッキアップ用取付部材。
【請求項１０】
前記押圧面部の正面視において前記各床梁取付部の重心位置と、前記押し上げ力付与部の重心位置とがそれぞれ一直線上に並ぶように形成されていることを特徴とする請求項９に記載の建物のジャッキアップ用取付部材。
【発明の詳細な説明】
【技術分野】
【０００１】
本発明は、建物をジャッキ装置を用いてジャッキアップする際、建物に取り付けられて用いられるジャッキアップ用取付部材に関する。
【背景技術】
【０００２】
従来より、建物の一種として、柱、床梁及び天井梁を有してなる複数の建物ユニットが互いに結合されることにより構築されるユニット式建物が知られている。ユニット式建物では、建物ユニットが柱を基礎上に載置した状態で設置されており、その設置状態において床梁が基礎上に沿って延びている。
【０００３】
ところで、建物が構築されている地盤に不同沈下や液状化現象等が生じた場合には、それに伴い建物が基礎とともに傾いてしまうことがある。この場合、傾いた建物を元の水平状態に戻すために、建物において沈下（降下）した側をジャッキ装置によりジャッキアップする（持ち上げる）ことが考えられている（例えば特許文献１参照）。
【先行技術文献】
【特許文献】
【０００４】
【特許文献１】特開２００５−１２０７７１号公報
【発明の概要】
【発明が解決しようとする課題】
【０００５】
上述したユニット式建物をジャッキ装置を用いてジャッキアップする際には、例えば基礎と床梁との間にジャッキ装置を設置し、床梁をジャッキ装置によりジャッキアップすることが考えられる。しかしながら、上記の建物では基礎と床梁との間に通気可能な程度の大きさの隙間しか形成されていないことが多く、その場合ジャッキ装置を基礎と床梁との間に設置することは困難であると考えられる。
【０００６】
また、基礎の上面側をはつる等して基礎内に上方に開口された凹状スペースを形成し、その凹状スペースにジャッキ装置を設置して床梁をジャッキアップすることも考えられるが、その場合作業が著しく大がかりなものとなってしまい現実的でない。
【０００７】
本発明は、上記事情に鑑みてなされたものであり、建物をジャッキ装置によりジャッキアップする作業を好適に行うことができる建物のジャッキアップ用取付部材を提供することを主たる目的とするものである。
【課題を解決するための手段】
【０００８】
上記課題を解決すべく、第１の発明の建物のジャッキアップ用取付部材は、基礎上に設けられた建物をジャッキ装置によりジャッキアップする際に当該建物に対して取り付けられて用いられる建物のジャッキアップ用取付部材であって、前記基礎上に設置された同一の柱から互いに直交する方向に延びる２つの床梁にそれぞれ取り付けられ、その取付状態において取付対象である前記床梁を上方に向けて押圧する押圧面部を有する一対の床梁取付部と、前記各床梁取付部の前記取付状態において前記各床梁の角部に位置する前記柱に対して角部内側に配置され、前記押圧面部による前記床梁に対する前記押圧力を生じせるべく前記ジャッキ装置による押し上げ力が付与される押し上げ力付与部と、を備えることを特徴とする。
【０００９】
本発明におけるジャッキアップ用取付部材によれば、建物をジャッキ装置によりジャッキアップする際、各床梁取付部が建物において同一の柱から直交して延びる２つの床梁にそれぞれ取り付けられ、その取付状態において押し上げ力付与部にジャッキ装置により押し上げ力が付与される。これにより、各床梁取付部の押圧面部に床梁を上方に押圧する押圧力が発生し、この押圧力により床梁が上方に持ち上げられ、ひいては建物が上方に持ち上げられる（ジャッキアップされる）。
【００１０】
ここで、各床梁取付部の床梁に対する取付状態では、押し上げ力付与部が各床梁の角部に位置する柱に対して角部内側に配置されるため、当該角部内側でジャッキ装置による床梁のジャッキアップを行うことができる。この場合、床梁を下方から直接ジャッキ装置によりジャッキアップする場合とは異なり、ジャッキ装置を基礎と床梁との間に配設する必要がない。そのため、基礎をはつる等して基礎内にジャッキ装置を配設するスペースを形成するといった面倒な作業を行う必要もない。よって、建物をジャッキ装置によりジャッキアップする作業を好適に行うことができる。
【００１１】
第２の発明の建物のジャッキアップ用取付部材は、第１の発明において、前記２つの床梁取付部は互いに直交する方向に延びるように形成され、それぞれ前記取付対象である前記床梁に沿って取り付けられるものであり、前記押圧面部は、前記取付対象の床梁を当該床梁に沿って面接触させた状態で押圧するものであることを特徴とする。
【００１２】
本発明によれば、床梁取付部の押圧面部により床梁を上方に押圧する際、押圧面部を床梁に沿って面接触させた状態で押圧することができるため、長尺状の床梁を安定した状態でジャッキアップすることができる。また、この場合、床梁に対して局所的に過大な力（押圧力等）が加わるのを抑制することができるため、床梁の変形や傷付きといった不都合が生じるのを抑制することもできる。
【００１３】
第３の発明の建物のジャッキアップ用取付部材は、第１又は第２の発明において、前記各床梁取付部はそれぞれ前記取付対象の前記床梁において前記柱との連結部から当該床梁に沿って延びるように取り付けられるものであり、前記押し上げ力付与部は、前記各床梁取付部の間の隅角部に配置され、それら各床梁取付部を互いに連結していることを特徴とする。
【００１４】
本発明によれば、各床梁取付部がそれぞれ取付対象の床梁に対して柱との連結部から当該床梁に沿って延びるように取り付けられ、かかる各床梁取付部の取付状態において押し上げ力付与部がそれら各床梁取付部の間の隅角部、換言すると柱周辺に配置される。この場合、押し上げ力付与部においてジャッキ装置により押し上げ力が付与されるポイント（ジャッキアップポイント）を各床梁取付部のいずれに対しても近くに設定することができるため、ジャッキ装置により押し上げ力付与部に付与された押し上げ力を各床梁取付部に好適に伝達させることができる。
【００１５】
第４の発明の建物のジャッキアップ用取付部材は、第１乃至第３のいずれかの発明において、前記各床梁は、ウェブと、そのウェブを挟んで上下に対向する一対のフランジとを有する形鋼よりなり、前記ウェブ及び前記各フランジにより形成された溝部をそれら各床梁の間となる梁内側に向けて開放させて配設されており、前記各床梁取付部はそれぞれ、前記取付対象である前記床梁に対して前記溝部に収容された状態で取り付けられるものであり、前記押圧面部は、前記床梁において前記溝部上方の前記フランジを下方から押圧するものであることを特徴とする。
【００１６】
本発明によれば、各床梁取付部がそれぞれ形鋼よりなる床梁の溝部に収容された状態で床梁に取り付けられる。そして、かかる取付状態において、押し上げ力付与部にジャッキ装置により押し上げ力が付与されると、床梁取付部の押圧面部により床梁の上側フランジが押圧され、その押圧力により床梁が持ち上げられる。このように床梁取付部が床梁に取り付けられる構成では、床梁取付部を床梁にボルト等の締結具を用いないで取り付けることが可能となるため、床梁取付部の床梁への取付作業を大いに簡単なものとすることができる。また、締結具が不要となることから、床梁に締結具を挿入する挿入孔等を設ける必要がない。つまり、床梁に欠損部を生じさせないようにすることができるため、ジャッキアップ対象の床梁の強度が低下してしまう不都合を防止することができる。
【００１７】
第５の発明の建物のジャッキアップ用取付部材は、第１乃至第４のいずれかの発明において、前記各床梁取付部はそれぞれ前記取付対象の前記床梁に取り付けられた状態において、前記柱の側面部に当接する柱当接部を有していることを特徴とする。
【００１８】
本発明によれば、各床梁取付部がそれぞれ取付対象の床梁に対して柱当接部を柱の側面部に当接させた状態で取り付けられるため、ジャッキアップ用取付部材を安定した状態で床梁に取り付けることができる。また、床梁取付部を床梁の溝部に収容した状態で床梁に取り付ける第４の発明において、床梁取付部の取り付けをボルト等の締結具を用いないで行う場合には、柱当接部を柱の側面部に当接させることで各床梁取付部が床梁に沿って位置ずれするのを抑制することが可能となる。そのため、床梁のジャッキアップ中に床梁取付部が床梁に対して位置ずれして取付状態が不安定になる等の不都合が生じるのを抑制することができる。
【００１９】
第６の発明の建物のジャッキアップ用取付部材は、第１乃至第５のいずれかの発明において、前記押圧面部の正面視における重心位置が前記押し上げ力付与部に位置するように形成されていることを特徴とする。
【００２０】
本発明によれば、ジャッキアップ用取付部材の重心位置に対してジャッキ装置による押し上げ力を付与することができる。例えば、上記第４の発明において、床梁取付部の取り付けをボルト等の締結具を用いないで行う場合、床梁取付部を床梁の溝部において下側フランジ上に載置した状態で、押圧面部と上側フランジとの間に隙間が発生することがあると考えられる。このような場合において、ジャッキ装置により押し上げ力付与部に押し上げ力を付与して床梁をジャッキアップする際、まずジャッキアップ用取付部材を単体状態で床梁取付部の押圧面部が床梁の上側フランジに当接する位置まで上昇させることとなる。この際、ジャッキアップ用取付部材の重心位置に押し上げ力を付与する構成では、当該取付部材をバランスよく上昇させることができるため、上昇途中に当該取付部材が床梁の溝部から脱落してしまうといった不都合を生じにくくすることができる。
【００２１】
第７の発明の建物のジャッキアップ用取付部材は、第６の発明において、前記押圧面部の正面視において前記各床梁取付部の重心位置と、前記押し上げ力付与部の重心位置とがそれぞれ一直線上に並ぶように形成されていることを特徴とする。
【００２２】
本発明によれば、押圧面部の正面視において各床梁取付部の重心位置と押し上げ力付与部の重心位置とが一直線上に並んでおり、第６の発明の効果を具体的に得ることが可能となる。
【００２３】
第８の発明の建物のジャッキアップ用取付部材は、第１乃至第７のいずれかの発明において、前記柱に前記各床梁を溶接する際に用いられる裏当て金により構成され、前記各床梁取付部がそれぞれ前記柱及び前記取付対象の前記床梁にそれぞれ溶接固定されていることを特徴とする。
【００２４】
本発明によれば、ジャッキアップ用取付部材が裏当て金により構成されている。すなわち、床梁と柱とを溶接する際にそれら両者を位置合わせするために用いられる裏当て金をジャッキアップ用取付部材として兼用している。この場合、本来施工時にしか用いられない裏当て金の有効利用を図ることができる。また、裏当て金（すなわちジャッキアップ用取付部材）は予め製造工場等で柱及び床梁に溶接固定されているため、建物をジャッキアップする作業を行う際、ジャッキアップ用取付部材を床梁に取り付ける取付作業を行わなくて済む。これにより、建物のジャッキアップ作業を行うにあたり作業工数削減を図ることができる。
【００２５】
第９の発明の建物のジャッキアップ用取付部材は、第８の発明において、前記各床梁取付部は、前記柱の側面部に当接された状態で溶接固定される柱固定板部を有することを特徴とする。
【００２６】
本発明によれば、柱固定板部が柱の側面部に当接された状態で溶接固定されているため、裏当て金（すなわちジャッキアップ用取付部材）の固定強度を高めることができる。この場合、裏当て金をジャッキアップ用取付部材として兼用する上で好ましい構成といえる。
【図面の簡単な説明】
【００２７】
【図１】ジャッキアップ用取付部材の構成を示す斜視図。
【図２】ジャッキアップ用取付部材を建物ユニットに取り付けた状態を示す斜視図。
【図３】ジャッキアップ用取付部材の重心位置を説明するための説明図。
【図４】建物の概要を示す斜視図。
【図５】建物ユニットの構成を示す斜視図。
【図６】傾斜した建物を水平状態に戻す際の作業手順について説明する説明図。
【図７】（ａ）がジャッキアップ用取付部材として兼用した裏当て金を示す斜視図、（ｂ）がその裏当て金を建物ユニットに取り付けた状態を示す斜視図。
【図８】ジャッキアップ用取付部材として兼用した裏当て金を示す斜視図。
【図９】ジャッキアップ用取付部材の変形例を示す図。
【発明を実施するための形態】
【００２８】
以下、本発明を具体化した一実施形態を図面に基づいて説明する。本実施形態では、複数の建物ユニットにより構築されるユニット式の建物をジャッキ装置によりジャッキアップする際に建物ユニットに取り付けられて用いられるジャッキアップ用取付部材として本発明を具体化している。そこでまず、ユニット式建物について図４及び図５に基づいて説明する。なお、図４は建物の概要を示す斜視図であり、図５は建物ユニットの構成を示す斜視図である。
【００２９】
図４に示すように、住宅等の建物１０は、基礎１１の上に設けられた建物本体１２と、建物本体１２の上に設けられた屋根１３とを備えている。建物１０は二階建てとされ、一階部分１４と二階部分１５とを有している。建物本体１２は、複数の建物ユニット２０が互いに連結されることにより構成されている。
【００３０】
建物ユニット２０は、図５に示すように、その四隅に配設される４本の柱２１と、各柱２１の上端部及び下端部をそれぞれ連結する各４本の天井大梁２２及び床大梁２３とを備えている。そして、それら柱２１、天井大梁２２及び床大梁２３により直方体状の骨格（フレーム）が形成されている。柱２１は四角筒状の角形鋼よりなり、天井大梁２２及び床大梁２３は断面コ字状の溝形鋼よりなる。
【００３１】
床大梁２３（天井大梁２２も同様）は、上下方向に延びるウェブ２３ａと、そのウェブ２３ａを挟んで上下に対向する一対のフランジ２３ｂ，２３ｃとを有している。各フランジ２３ｂ，２３ｃはそれぞれウェブ２３ａの上端部及び下端部からそれぞれ側方に向けて同じ側に延びている。床大梁２３には、ウェブ２３ａと各フランジ２３ｂ，２３ｃとにより囲まれてなる溝部２４が形成されている。各床大梁２３の溝部２４はそれぞれ建物ユニット２０の内側（ユニット内側）に向けて側方に開放されている。この場合、対向する床大梁２３同士は互いの溝部２４を向き合わせた状態で配設されている。
【００３２】
隣り合う床大梁２３同士は互いに直角をなして配置されている。これら隣り合う床大梁２３は、その長手方向の端部がそれら両大梁２３の間に設けられた柱２１の側面部２１ａに当接された状態で固定されている。具体的には、各床大梁２３の端部は当該柱２１において隣り合う（換言すると直交する）２つの側面部２１ａにそれぞれ固定されている。この場合、隣り合う２つの床大梁２３が同一の柱２１から互いに直交する２方向にそれぞれ延びている。
【００３３】
建物ユニット２０の長辺部の相対する天井大梁２２の間には、所定間隔で複数の天井小梁２５が架け渡されている。同じく建物ユニット２０の長辺部の相対する床大梁２３の間には、所定間隔で複数の床小梁２６が架け渡されている。天井小梁２５と床小梁２６とはそれぞれ同間隔でかつ各々上下に対応する位置に設けられている。例えば、天井小梁２５はリップ溝形鋼よりなり、床小梁２６は角形鋼よりなる。天井小梁２５によって天井面材２７が支持され、床小梁２６によって床面材２８が支持されている。
【００３４】
次に、上記構成の建物１０をジャッキ装置によりジャッキアップする際に建物ユニット２０に取り付けられるジャッキアップ用取付部材について説明する。図１はジャッキアップ用取付部材の構成を示す斜視図であり、図２はジャッキアップ用取付部材を建物ユニット２０に取り付けた状態を示す斜視図である。
【００３５】
図１及び図２に示すように、ジャッキアップ用取付部材３０は、建物ユニット２０（詳しくは一階部分１４の建物ユニット２０）において同一の柱２１から直交して延びる２つの床大梁２３に跨がって取り付けられるものとなっており、それら２つの床大梁２３にそれぞれ取り付けられる一対の床梁取付部３１と、ジャッキ装置による押し上げ力が付与される部分である押し上げ力付与部３２とを備える。各床梁取付部３１Ａ，３１Ｂは互いに直角をなすように略Ｌ字状に配置され、それら各床梁取付部３１Ａ，３１Ｂの間に押し上げ力付与部３２が配設されている。そして、押し上げ力付与部３２を介して各床梁取付部３１Ａ，３１Ｂが互いに連結されてジャッキアップ用取付部材３０が構成されている。なお以下の説明では便宜上、ジャッキアップ用取付部材３０（各床梁取付部３１）の取付対象となる上記２つの床大梁２３の符号にそれぞれＡ及びＢを付す。
【００３６】
各床梁取付部３１はいずれもＨ形鋼により長尺状に形成されており、ウェブ３１ａと、そのウェブ３１ａを挟んで対向する一対のフランジ３１ｂ，３１ｃとを有している。これら各床梁取付部３１はいずれも同じ構成を有しており、以下の説明では便宜上各床梁取付部３１の符号にそれぞれＡ及びＢを付す。
【００３７】
各フランジ３１ｂ，３１ｃの外側面（ウェブ３１ａ側とは反対側の面）は互いに平行をなす一対の平面部３３ａ，３３ｂとなっている。各フランジ３１ｂ，３１ｃの平面部３３ａ，３３ｂ同士の離間距離（換言すると床梁取付部３１の上下高さ）は床大梁２３の溝部２４の上下高さと同じか又はそれよりも若干小さいものとなっている。
【００３８】
各床梁取付部３１Ａ，３１Ｂはそれぞれ、互いのフランジ３１ｂの平面部３３ａ同士が同一平面上に位置するように、かつ、互いのフランジ３１ｃの平面部３３ｂ同士が同一平面上に位置するように配置されている。また、各床梁取付部３１Ａ，３１Ｂは、ジャッキアップ用取付部材３０において柱２１が配置される柱配置スペースＳから互いに直交する方向にそれぞれ延びており、これにより略Ｌ字状をなしている。詳しくは、床梁取付部３１Ａは、その長手方向において一端部が床梁取付部３１Ｂの端部と位置合わせされた状態で配置され、床梁取付部３１Ｂは、その長手方向において一端部が床梁取付部３１Ａの端部と位置合わせされた状態で配置されている。この場合、床梁取付部３１Ａにおいて長手方向における床梁取付部３１Ｂ側の端部（端面）（換言すると柱配置スペースＳ側の端部）と、床梁取付部３１Ｂにおいて長手方向における床梁取付部３１Ａ側の端部（端面）（換言すると柱配置スペースＳ側の端部）とが互いにＬ字状をなして連続している。
【００３９】
押し上げ力付与部３２は、全体として四角柱状に形成されており、四角筒状の本体部３５と、本体部３５の軸線方向両側に設けられ互いに対向する一対の平板部３６とを備える。本体部３５は角形鋼管よりなり、平板部３６は本体部３５の大きさに合わせて形成された矩形形状の鋼板よりなる。本体部３５と各平板部３６とは互いに溶接されて一体化されており、これにより押し上げ力付与部３２が構成されている。
【００４０】
また、押し上げ力付与部３２は、平板部３６の正面視においてその形状が正方形状をなしている。この場合、押し上げ力付与部３２の（正方形状の）一辺の長さは床梁取付部３１の長手方向の長さよりも短くなっており、より詳しくは床梁取付部３１の長手方向の長さの半分又はそれよりも短くなっている。
【００４１】
各平板部３６の外側面は互いに平行をなす一対の平面部３８ａ，３８ｂとなっている。各平面部３８ａ，３８ｂ同士の離間距離は、床梁取付部３１Ａ，３１Ｂの平面部３３ａ，３３ｂ同士の離間距離と同じとなっている。
【００４２】
押し上げ力付与部３２は、各床梁取付部３１Ａ，３１Ｂの間の隅角部に配設されており、その角部を各床梁取付部３１Ａ，３１Ｂの隅角部に位置合わせした状態で配置されている。押し上げ力付与部３２は、かかる配設状態において、平面部３８ａが床梁取付部３１Ａ，３１Ｂのフランジ３１ｂの平面部３３ａと同一平面上に位置し、かつ、平面部３８ｂが床梁取付部３１Ａ，３１Ｂのフランジ３１ｃの平面部３３ｂと同一平面上に位置している。この場合、押し上げ力付与部３２は、隣り合う各側面部３９（側面部３９は各平面部３８ａ，３８ｂに直交する面）がそれぞれ床梁取付部３１Ａ，３１Ｂの各フランジ３１ｂ，３１ｃの端部（換言すると床梁取付部３１Ａ，３１Ｂの側面部）に当接され、その当接状態において当該端部に溶接固定されている。これにより、各床梁取付部３１Ａ，３１Ｂと押し上げ力付与部３２とが一体化され、ジャッキアップ用取付部材３０が構成されている。
【００４３】
上記のように構成されたジャッキアップ用取付部材３０において、床梁取付部３１Ａはその長手方向において床梁取付部３１Ｂとは反対側に向かって押し上げ力付与部３２よりも延出している。また、床梁取付部３１Ｂはその長手方向において床梁取付部３１Ａとは反対側に向かって押し上げ力付与部３２よりも延出している。これにより、ジャッキアップ用取付部材３０は、平面部３３ａ，３３ｂ（３８ａ，３８ｂ）の正面視において略Ｗ字状をなしている。
【００４４】
続いて、ジャッキアップ用取付部材３０の重心位置に関して説明する。図３は、ジャッキアップ用取付部材３０の重心位置を説明するための説明図である。なお、図３は、ジャッキアップ用取付部材３０を床梁取付部３１の平面部３３ａを正面視した状態で示している。
【００４５】
図３に示すように、ジャッキアップ用取付部材３０は、平面部３３ａの正面視において、その重心位置Ｇが押し上げ力付与部３２に位置している。具体的には、平面部３３ａの正面視において各床梁取付部３１Ａ，３１Ｂの重心位置Ｇ１，Ｇ２と、押し上げ力付与部３２の重心位置Ｇ３とは同一直線状に位置しており、より詳しくは各床梁取付部３１Ａ，３１Ｂの重心位置Ｇ１，Ｇ２の中心（中央）に押し上げ力付与部３２の重心位置Ｇ３が存在している。この場合、押し上げ力付与部３２の重心位置Ｇ３がジャッキアップ用取付部材３０の重心位置Ｇと一致しており、この重心位置Ｇが押し上げ力付与部３２における略中央に位置している。
【００４６】
なお、本ジャッキアップ用取付部材３０では、平面部３３ａの正面視において各床梁取付部３１Ａ，３１Ｂの重心位置Ｇ１，Ｇ２が当該床梁取付部３１Ａ，３１Ｂの中心部に位置しており、押し上げ力付与部３２の重心位置Ｇ３が当該押し上げ力付与部３２の中心部に位置している。
【００４７】
次に、上記ジャッキアップ用取付部材３０を建物ユニット２０の床大梁２３Ａ，２３Ｂに取り付ける場合の取付構成について図２を用いて説明する。
【００４８】
上述したように、ジャッキアップ用取付部材３０は、各床梁取付部３１Ａ，３１Ｂがそれぞれ取付対象の床大梁２３Ａ，２３Ｂに取り付けられることで建物ユニット２０に取り付けられるものとなっている。なおここでは、床梁取付部３１Ａが床大梁２３Ａに、床梁取付部３１Ｂが床大梁２３Ｂに取り付けられるものとなっている。
【００４９】
図２に示すように、各床梁取付部３１Ａ，３１Ｂはそれぞれ床大梁２３Ａ，２３Ｂの溝部２４に配設された状態で当該床大梁２３Ａ，２３Ｂに対して取り付けられている。より具体的には、各床梁取付部３１Ａ，３１Ｂは床大梁２３Ａ，２３Ｂに対してボルト等の締結具を用いないで取り付けられている。床梁取付部３１Ａ，３１Ｂは、溝部２４においてフランジ３１ｃ（換言するとその平面部３３ｂ）を床大梁２３Ａ，２３Ｂの下フランジ２３ｃ上に載置した状態で、かつ、フランジ３１ｂ（換言するとその平面部３３ａ）を床大梁２３Ａ，２３Ｂの上フランジ２３ｂに対向（近接又は当接）させた状態で配設されている。また、床梁取付部３１Ａ，３１Ｂは、溝部２４において床大梁２３Ａ，２３Ｂのウェブ２３ａに当接又は近接した状態で配置されている。
【００５０】
かかる各床梁取付部３１Ａ，３１Ｂの取付状態では、床梁取付部３１Ａにおいて長手方向における床梁取付部３１Ｂ側の端部（床梁取付部３１Ａの柱当接部に相当）が柱２１の側面部２１ａに当接され、床梁取付部３１Ｂにおいて長手方向における床梁取付部３１Ａ側の端部（床梁取付部３１Ｂの柱当接部に相当）が柱２１の側面部２１ａに当接されている。この場合、床梁取付部３１Ａの上記柱当接部と、床梁取付部３１Ｂの上記柱当接部とが柱２１において隣り合う側面部２１ａに沿ってＬ字状に配置され、各床梁取付部３１Ａ，３１Ｂの柱当接部同士の間の隅角部が柱２１の角部に位置合わせされている。
【００５１】
これら各床梁取付部３１Ａ，３１Ｂが床大梁２３Ａ，２３Ｂに取り付けられた状態では、押し上げ力付与部３２が柱２１に対して建物ユニット２０の内側（ユニット内側）に配置されている。すなわち、建物ユニット２０を平面視した場合に、押し上げ力付与部３２は各床大梁２３Ａ，２３Ｂの間に配置されている。押し上げ力付与部３２は、上述したように下方からジャッキ装置により押し上げ力が付与される部位となっており、その下面（底面）となる平面部３８ｂがジャッキ装置による押し上げ力を受ける押し上げ力受面部となっている。
【００５２】
押し上げ力付与部３２に対してジャッキ装置により押し上げ力が付与されると、それに伴い各床梁取付部３１Ａ、３１Ｂ（のフランジ３１ｂ）には床大梁２３Ａ，２３Ｂの上フランジ２３ｂを上方に向けて押圧する押圧力が発生する（図６参照）。そして、この押圧力によって床大梁２３Ａ，２３Ｂが上方に持ち上げられ、その結果建物ユニット２０ひいては建物１０が上方に持ち上げられるようになっている。なおこの場合、フランジ３１ｂの平面部３３ａ（上面部）が押圧面部に相当する。
【００５３】
また、本ジャッキアップ用取付部材３０は、床梁取付部３１Ａ，３１Ｂの各フランジ３１ｂ，３１ｃ（平面部３３ａ，３３ｂ）が対向する対向方向において、その中央位置を基準として対称形状をなしているため、床梁取付部３１Ａ，３１Ｂを床大梁２３Ａ，２３Ｂに取り付けるにあたっては、各平面部３３ａ，３３ｂのうちいずれを上向きとしても取り付けることが可能となっている。すなわち、図２に示す構成では、平面部３３ａが上、平面部３３ｂが下となる向きで床梁取付部３１Ａ，３１Ｂが床大梁２３Ａ，２３Ｂに取り付けられていたが、これを逆にして、平面部３３ｂが上、平面部３３ａが下となる向きで床梁取付部３１Ａ，３１Ｂを床大梁２３Ａ，２３Ｂに取り付けてもよい。この場合、平面部３３ｂが押圧面部となる。また、押し上げ力付与部３２においては平面部３８ａが押し上げ力受面部となる。このように、本ジャッキアップ用取付部材３０は、各平面部３３ａ，３３ｂを上下いずれの側に向けても床大梁２３Ａ，２３への取り付けが可能となっており、利便性の向上が図られている。
【００５４】
次に、不同沈下等によって建物１０が傾斜した場合に、その建物１０をジャッキ装置を用いてジャッキアップすることにより水平状態に戻す際における作業手順について説明する。ここでは、ジャッキアップ作業に際して、上述したジャッキアップ用取付部材３０を用いる。図６は、傾斜した建物１０を水平状態に戻す際の作業手順について説明する説明図である。
【００５５】
図６（ａ）に示すように、建物１０は、基礎１１とともに地盤面Ｘに対して傾斜した状態にある。ここでは、その傾斜状態にある建物１０において沈下（下降）している側の出隅部（以下、下降側出隅部という）でジャッキ装置によるジャッキアップを行うことを想定している。
【００５６】
ジャッキアップ作業は床面材２８に設けられた点検口等を通じて床下空間に入って行う。ジャッキアップ作業に際してはまず、図６（ｂ）に示すように、ジャッキアップ用取付部材３０を建物１０において下降側出隅部を構成する建物ユニット２０に取り付ける取付作業を行う。この場合、当該建物ユニット２０において当該出隅部を挟んだ両側の各床大梁２３Ａ，２３Ｂに跨がってジャッキアップ用取付部材３０を取り付ける。すなわち、ジャッキアップ用取付部材３０の各床梁取付部３１Ａ，３１Ｂをそれぞれ各床大梁２３Ａ，２３Ｂの溝部２４に配設することで各床大梁２３Ａ，２３Ｂに取り付ける。また、この取り付けに際して、各床梁取付部３１Ａ，３１Ｂの長手方向の端部（柱２１側の端部）をそれぞれ柱２１の側面部２１ａに当接させる。これにより、ジャッキアップ用取付部材３０の押し上げ力付与部３２が柱２１に対して建物ユニット２０（建物１０）の出隅内側に配置される。
【００５７】
次に、図６（ｃ）に示すように、ジャッキ装置４５を床下空間（基礎１１により囲まれた内側空間）においてジャッキアップ用取付部材３０の押し上げ力付与部３２の下方位置に配置して、ジャッキ装置４５によるジャッキアップ作業を行う。ジャッキ装置４５は、油圧式のジャッキ装置として構成され、地盤面Ｘ上に設置される本体部４６と、油圧により本体部４６に対して上昇可能なラム４７（上昇部）とを有する。ラム４７の上端部には、突き上げ部４７ａが設けられており、この突き上げ部４７ａにより押し上げ力付与部３２を下方から突き上げるものとなっている。
【００５８】
ジャッキ装置４５を押し上げ力付与部３２の下方に設置後、ジャッキ装置４５によるジャッキアップ作業を行う。この作業では、ジャッキ装置４５のラム４７を上昇させることにより、ラム４７（ひいてはジャッキ装置４５）により押し上げ力付与部３２に対し押し上げ力を付与する（図６（ｃ）の二点鎖線参照）。これにより、各床梁取付部３１Ａ，３１Ｂのフランジ３１ｂには各床大梁２３Ａ，２３Ｂの上フランジ２３ｂを上側に向けて押圧する押圧力が発生する。そして、この押圧力により各床大梁２３Ａ，２３Ｂが基礎１１に対して上方に持ち上げられ、ひいては建物ユニット２０（さらには建物１０の下降側出隅部）が基礎１１に対して上方に持ち上げられる。そして、建物１０は水平状態へと徐々に移行し、水平状態となったらジャッキ装置４５によるラム４７の上昇、すなわちジャッキアップ動作を停止させる。具体的には、ジャッキ装置４５の油圧を保持したままラム４７の上昇を停止させる。
【００５９】
次に、図６（ｄ）に示すように、ジャッキ装置４５により建物１０を水平状態に保持したまま、基礎１１（詳しくはその天端）と建物ユニット２０との間の隙間にスペーサ４９を配設する。例えば上述した建物ユニット２０のジャッキアップにより生じた同ユニット２０の柱２１の下端部と基礎１１との間の隙間にスペーサ４９を配設する。なお、スペーサ４９は例えば金属製の平板又はブロック材よりなり、各種厚みのものが予め用意されているものとする。なお、スペーサ４９は、必ずしも柱２１の下端部と基礎１１との間に配設する必要はなく、これに代えて又は加えて、床大梁２３Ａ，２３Ｂと基礎１１との間に配設してもよい。
【００６０】
次に、ジャッキ装置４５による油圧を解除してラム４７を下降させる。この際、基礎１１と建物ユニット２０との間にはスペーサ４９が配設されていることから、建物１０の水平状態は保持される。その後、ジャッキアップ用取付部材３０を各床大梁２３Ａ，２３Ｂから取り外す。これにより、一連の作業が終了する。
【００６１】
以上、詳述した本実施形態の構成によれば、以下の優れた効果が得られる。
【００６２】
ジャッキアップ用取付部材３０を、互いに直交する２つの床大梁２３Ａ，２３Ｂにそれぞれ取り付けられる一対の床梁取付部３１Ａ，３１Ｂと、ジャッキ装置４５による押し上げ力が付与される押し上げ力付与部３２とを備えて構成した。この場合、ジャッキ装置４５による押し上げ力が押し上げ力付与部３２に付与されると、床梁取付部３１Ａ，３１Ｂの平面部３３ａに床大梁２３Ａ，２３Ｂを上方に押圧する押圧力が発生し、この押圧力により床大梁２３Ａ，２３Ｂが上方に持ち上げられ、ひいては建物１０が上方に持ち上げられる。
【００６３】
また、押し上げ力付与部３２は、各床梁取付部３１Ａ，３１Ｂが床大梁２３Ａ，２３Ｂに取り付けられた状態において、各床大梁２３Ａ，２３Ｂの角部に位置する柱２１に対して角部内側（建物ユニット２０内側）に配置されるため、ジャッキ装置４５による床大梁２３Ａ，２３Ｂのジャッキアップを当該角部内側で行うことができる。この場合、ジャッキ装置４５を基礎１１と床大梁２３Ａ，２３Ｂとの間に配設して床大梁２３Ａ，２３Ｂを下方から直接ジャッキアップする場合とは異なり、基礎１１をはつる等して基礎１１内にジャッキ装置４５を配設するスペースを形成するといった面倒な作業を行う必要がない。そのため、建物１０をジャッキ装置４５によりジャッキアップする作業を好適に行うことができる。
【００６４】
また、この場合、１つのジャッキ装置４５により２つの床大梁２３Ａ，２３Ｂをジャッキアップすることができるため、１つの床大梁２３をジャッキアップする場合と比べて、ジャッキアップ時に床大梁２３Ａ，２３Ｂにかかる負荷を軽減させることができる。その結果床大梁２３Ａ，２３Ｂの変形や傷付きといった不都合が生じるのを抑制することができる。
【００６５】
各床梁取付部３１Ａ，３１Ｂを互いに直交する方向に延びるように形成し、各床梁取付部３１Ａ，３１Ｂをそれぞれ取付対象の床大梁２３Ａ，２３Ｂに沿って取り付けるようにした。そして、床梁取付部３１Ａ，３１Ｂの平面部３３ａにより床大梁２３Ａ，２３Ｂを押圧する際、平面部３３を床大梁２３Ａ，２３Ｂに沿って面接触させた状態で押圧するようにした。この場合、長尺状の床大梁２３Ａ，２３Ｂを安定した状態でジャッキアップすることができるとともに、長尺状の床大梁２３Ａ，２３Ｂに対して局所的に過大な力（押圧力等）が加わるのを抑制することができるため、床大梁２３Ａ，２３Ｂの変形や傷付きといった不都合が生じるのを抑制することもできる。
【００６６】
各床梁取付部３１Ａ，３１Ｂを取付対象の床大梁２３Ａ，２３Ｂにおいて柱２１との連結部から当該床大梁２３Ａ，２３Ｂに沿って延びるように取り付け、それら各床梁取付部３１Ａ，３１Ｂの間の隅角部に配置した押し上げ力付与部３２により各床梁取付部３１Ａ，３１Ｂを連結した。この場合、各床梁取付部３１Ａ，３１Ｂがそれぞれ床大梁２３Ａ，２３Ｂに取り付けられた状態において押し上げ力付与部３２が柱２１周辺に配置される。そのため、押し上げ力付与部３２においてジャッキ装置４５により押し上げ力が付与されるポイント（ジャッキアップポイント）を各床大梁２３Ａ，２３Ｂ換言すると各床梁取付部３１Ａ，３１Ｂのいずれに対しても近くに設定することができるため、押し上げ力付与部３２に付与された押し上げ力を各床梁取付部３１Ａ，３１Ｂに好適に伝達させることができる。
【００６７】
各床梁取付部３１Ａ，３１Ｂをそれぞれ溝形鋼からなる床大梁２３Ａ，２３Ｂの溝部２４に収容した状態で当該床大梁２３Ａ，２３Ｂに取り付けた。この場合、かかる取付状態において、押し上げ力付与部３２にジャッキ装置４５により押し上げ力が付与されると、床梁取付部３１Ａ，３１Ｂの平面部３３ａにより床大梁２３Ａ，２３Ｂの上フランジ２３ｂが押圧され、その押圧力により床大梁２３Ａ，２３Ｂが持ち上げられる。このように床梁取付部３１Ａ，３１Ｂを床大梁２３Ａ，２３Ｂに取り付ける構成では、床梁取付部３１Ａ，３１Ｂを床大梁２３Ａ，２３Ｂにボルト等の締結具を用いないで取り付けることが可能となる。そのため、床梁取付部３１Ａ，３１Ｂの取付作業を大いに簡単なものとすることができる。また、締結具が不要となることから、床大梁２３Ａ，２３Ｂに締結具を挿入する挿入孔等を設ける必要がない。つまり、床大梁２３Ａ，２３Ｂに欠損部を生じさせないようにすることができるため、ジャッキアップ対象の床大梁２３Ａ，２３Ｂの強度が低下してしまうことを防止することができる。
【００６８】
各床梁取付部３１Ａ，３１Ｂにそれぞれ、取付対象の床大梁２３Ａ，２３Ｂに取り付けられた状態において柱２１の側面部２１ａに当接される柱当接部（具体的には床梁取付部３１Ａ，３１Ｂにおける長手方向の柱２１側の端部）を設けた。そのため、ジャッキアップ用取付部材３０を安定した状態で床大梁２３Ａ，２３Ｂに取り付けることができる。また、ボルト等の締結具を用いないで各床梁取付部３１Ａ，３１Ｂを床大梁２３Ａ，２３Ｂに取り付けるにあたって、各床梁取付部３１Ａ，３１Ｂが床大梁２３Ａ，２３Ｂに沿って位置ずれするのを抑制することができるため、床大梁２３Ａ，２３Ｂのジャッキアップ中に床梁取付部３１Ａ，３１Ｂが床大梁２３Ａ，２３Ｂに対して位置ずれして取付状態が不安定になる等の不都合が生じるのを抑制することもできる。
【００６９】
各床梁取付部３１をそれぞれ床大梁２３Ａ，２３Ｂに対して着脱可能に取り付けたため、ジャッキアップ用取付部材３０を使い回し（再利用）することができる。これにより、ジャッキアップ用取付部材３０の有効利用を図ることができる。
【００７０】
本発明は上記実施形態に限らず、例えば次のように実施されてもよい。
【００７１】
（１）上記実施形態では、床梁取付部３１Ａ，３１Ｂにおいて各平面部３３ａ，３３ｂ同士の離間距離を床大梁２３Ａ，２３Ｂの溝部２４の上下高さと略同じとしたが、各平面部３３ａ，３３ｂ同士の離間距離を溝部２４の上下高さより小さくしてもよい。この場合、床梁取付部３１Ａ，３１Ｂを床大梁２３Ａ，２３Ｂの溝部２４において下フランジ２３ｃ上に載置した状態では、床梁取付部３１Ａ，３１Ｂの平面部３３ａと床大梁２３Ａ，２３Ｂの上フランジ２３ｂとの間に隙間が形成されることとなる。したがって、ジャッキ装置４５により押し上げ力付与部３２に押し上げ力を付与して床大梁２３Ａ，２３Ｂをジャッキアップする際、まずジャッキアップ用取付部材３０を単体状態で床梁取付部３１Ａ，３１Ｂの平面部３３ａが床大梁２３Ａ，２３Ｂの上フランジ２３ｂに当接する位置まで上昇させることとなる。この場合、本ジャッキアップ用取付部材３０では、上述したように重心位置Ｇが押し上げ力付与部３２に位置しているため、重心位置Ｇに対して押し上げ力を付与することができる。そのため、ジャッキアップ用取付部材３０をバランスよく上昇させることができ、上昇途中に同取付部材３０が溝部２４から脱落してしまうといった不都合を生じにくくすることができる。
【００７２】
（２）上記実施形態では、床大梁２３Ａ，２３Ｂを溝形鋼により構成したが、Ｈ形鋼やＣ形鋼（リップ溝形鋼）等溝部（詳しくはウェブと、ウェブを挟んで対向する一対のフランジとにより囲まれた溝部）を有する他の形鋼により構成してもよい。その場合でも、各床大梁２３Ａ，２３Ｂが溝部を建物ユニット２０内側に向けて側方に開放させた状態で設置されていれば、上記実施形態と同様、床梁取付部３１Ａ，３１Ｂを床大梁２３Ａ，２３Ｂに対して溝部に配設した状態で取り付けることができる。
【００７３】
（３）上記実施形態では，床梁取付部３１Ａ，３１Ｂを床大梁２３Ａ，２３Ｂの溝部２４に配設した状態で取り付けたが、これを変更してもよい。例えば基礎１１（その天端）と床大梁２３Ａ，２３Ｂとの間に隙間が存在している場合には、その隙間を利用して床梁取付部３１Ａ，３１Ｂを床大梁２３Ａ，２３Ｂに対して下方から取り付けてもよい。この場合、床大梁２３Ａ，２３Ｂ（詳しくは下フランジ２３ｃ）の下面に床梁取付部３１Ａ，３１Ｂをボルトにより取り付けることが考えられる。具体的には、床梁取付部３１Ａ，３１Ｂのフランジ３１ｂに挿通孔を形成するとともに、床大梁２３Ａ，２３Ｂの下フランジ２３ｃに挿通孔を形成し、それら各挿通孔にボルトを挿通してナットと締結することが考えられる。この場合、ジャッキ装置４５により押し上げ力付与部３２に押し上げ力が付与されると、床梁取付部３１Ａ，３１Ｂの平面部３３ａに床大梁２３Ａ，２３Ｂの下フランジ２３ｃを上方に押圧する押圧力が発生し、その押圧力により床大梁２３ひいては建物ユニット２０が上方に押し上げられる。
【００７４】
（４）建物ユニット２０において柱２１に対して各床大梁２３Ａ，２３Ｂを溶接する際には、床大梁２３Ａ，２３Ｂを柱２１に対して位置合わせするために裏当て金が用いられることがある。そこで、この裏当て金を用いてジャッキアップ用取付部材を構成するようにしてもよい。その具体例を図７に示す。図７（ａ）に示すように、裏当て金５０（ジャッキアップ用取付部材に相当）は鋼板が折り曲げ形成されてなるものであり、平板状の水平板部５１を有する。水平板部５１はＬ字状をなしており、基部５１ａと、基部５１ａから互いに直交する方向に張り出す一対の張出部５１ｂとを有する。裏当て金５０は、さらに各張出部５１ｂにおいて基部５１ａとは反対側の端部から下方に延びる一対の鉛直板部５２を有する。この場合、張出部５１ｂと鉛直板部５２とにより床梁取付部が構成され、基部５１ａが押し上げ力付与部に相当する。
【００７５】
図７（ｂ）に示すように、裏当て金５０は、水平板部５１のＬ字内側を柱２１の側面部２１ａに沿わせた状態で配置され、その配置状態において各張出部５１ｂがそれぞれ柱２１の側面部２１ａに当接された状態で溶接固定されている。裏当て金５０の外側には、各床大梁２３Ａ，２３Ｂが設けられている。床大梁２３Ａ，２３Ｂは、その上フランジ２３ｂを裏当て金５０の張出部５１ｂ上に載置した状態で、かつ、ウェブ２３ａを鉛直板部５２に外側から当接させた状態で設けられている。ここで、ユニット製造工場において床大梁２３Ａ，２３Ｂを柱２１に対して溶接する際には、このように床大梁２３Ａ，２３Ｂを裏当て金５０上に配置した状態で溶接を行う。そして、かかる状態で床大梁２３Ａ，２３Ｂは、柱２１に溶接固定されるとともに、裏当て金５０の張出部５１ｂ及び鉛直板部５２に溶接固定される。これにより、裏当て金５０は柱２１及び各床大梁２３Ａ，２３Ｂに対してそれぞれ溶接固定されている。
【００７６】
かかる裏当て金５０の固定状態において、基部５１ａは柱２１に対してユニット内側に配置されている。すなわち、建物ユニット２０の平面視では、基部５１ａが各床大梁２３Ａ，２３Ｂの間に配置されている。したがって、この場合にも、ジャッキ装置４５により基部５１ａに対して押し上げ力を付与することができる。基部５１ａに対して押し上げ力が付与されると、各張出部５１ｂ（その上面が押圧面部となる）により床大梁２３Ａ，２３Ｂの上フランジ２３ｂが上側に向けて押圧される。これにより、床大梁２３Ａ，２３Ｂが上方に持ち上げられ、その結果建物ユニット２０ひいては建物１０が上方に持ち上げられる。
【００７７】
かかる構成によれば、柱２１に対して床大梁２３を溶接する際にそれら両者の位置合わせに用いられる裏当て金５０をジャッキアップ用取付部材として兼用することができる。そのため、本来施工時にしか用いられない裏当て金５０の有効利用を図ることができる。また、裏当て金５０は予め製造工場において柱２１及び床大梁２３Ａ，２３Ｂに溶接固定されているため、建物１０をジャッキアップする作業を行う際ジャッキアップ用取付部材を床大梁２３Ａ，２３Ｂに取り付ける作業を行わなくて済む。これにより、建物１０のジャッキアップ作業を行うにあたって作業工数の削減を図ることができる。
【００７８】
（５）また、裏当て金を用いてジャッキアップ用取付部材を構成する場合、裏当て金を例えば図８に示す構成としてもよい。図８に示す裏当て金６０は、上記（４）の構成（図７の構成）における裏当て金５０に対して、さらに水平板部５１の各張出部５１ｂにおけるＬ字内側の端部から下方に延びる一対の鉛直板部６１を有している。これら各鉛直板部６１は柱２１の側面部２１ａに当接した状態で溶接固定される。この場合、裏当て金６０の固定強度を高めることができるため、裏当て金６０をジャッキアップ用取付部材として兼用する上で好ましい構成といえる。なお、鉛直板部６１は柱固定板部に相当するとともに、床梁取付部の一部を構成している。
【００７９】
（６）ジャッキアップ用取付部材３０の構成は必ずしも上記実施形態のものに限定されない。例えば、図９（ａ）に示すジャッキアップ用取付部材７０は、平面部３３ａ（又は３３ｂ）の正面視において押し上げ力付与部７２が直角三角形状をなしている。この場合、押し上げ力付与部７２において直角をなす２つの端辺がそれぞれ各床梁取付部７１Ａ，７１Ｂの長手方向の長さと同じ長さとされており、それら各端辺部がそれぞれ各床梁取付部７１Ａ，７１Ｂの長手方向全域に対して連結されている。この場合、ジャッキ装置４５により押し上げ力付与部７２に付与された押し上げ力を各床梁取付部７１Ａ，７１Ｂの長手方向全域に対して好適に伝達することができる。
【００８０】
また、図９（ｂ）に示すジャッキアップ用取付部材７５は、各床梁取付部７６Ａ，７６Ｂが上記実施形態の床梁取付部３１Ａ，３１Ｂよりも短くなっており、各床大梁２３Ａ，２３Ｂに対する取付状態において柱２１の側面部２１ａから離間されて配置されている。押し上げ力付与部７７は、柱２１に対してユニット内側に離間した位置で各床梁取付部７６Ａ，７６Ｂを斜めに繋いでいる。この場合でも、ジャッキ装置４５により押し上げ力付与部７７に押し上げ力を付与することで、各床梁取付部７６Ａ，７６Ｂにより各床大梁２３Ａ，２３Ｂを押圧し持ち上げることができる。
【００８１】
（７）上記実施形態では、ジャッキアップ用取付部材３０において各床梁取付部３１Ａ，３１Ｂを同一構成としたが、異なる構成としてもよい。例えば、各床梁取付部３１Ａ，３１Ｂの長手方向の長さを異ならせてもよい。具体的には、各床大梁２３Ａ，２３Ｂのうち床大梁２３Ａが建物ユニット２０の長辺側に、床大梁２３Ｂが建物ユニット２０の短辺側に取り付けられるものとした場合、床梁取付部３１Ａの長手方向の長さを床梁取付部３１Ｂの長手方向の長さよりも長くすることが考えられる。
【００８２】
また、押し上げ力付与部３２の構成を上記実施形態のものに対して変更してもよい。例えば上記実施形態では本体部３５を角形鋼管より構成したが、これを変更して、本体部３５を離間対向する各平板部３６の間に架け渡された複数の矩形平板状の鋼板により構成してもよい。例えば、平板部３６の正面視にて、平板部３６を各床梁取付部３１Ａ，３１Ｂとともに囲むようにして２枚の鋼板を平板部３６の端辺に沿ってＬ字状に設けることが考えられる。また、この場合、さらに上記２枚の鋼板の隅角部と各床梁取付部３１Ａ，３１Ｂの隅角部とを繋ぐようにもう１枚鋼板を設け、剛性を高めてもよい。
【００８３】
（８）上記実施形態では、ジャッキ装置４５による建物１０のジャッキアップを建物１０における出隅部で行ったが、入隅部で行ってもよい。例えば、床大梁２３がＨ形鋼よりなる場合には、入隅部を挟んで隣り合う２つの床大梁２３の溝部２４がいずれも屋外側に側方を向けて開放されるため、ジャッキアップ用取付部材３０の各床梁取付部３１Ａ，３１Ｂをそれぞれ入隅部屋外側から各床大梁２３の溝部２４に配設し各床大梁２３に取り付けることができる。この場合、押し上げ力付与部３２が入隅部屋外側に配置されるため、ジャッキ装置４５による押し上げ力付与部３２の押し上げを屋外で行うこととなる。
【００８４】
なお、ジャッキ装置４５によるジャッキアップを建物１０において出隅部及び入隅部以外の場所で行ってもよい。例えば、建物１０において出隅部を構成しない建物ユニット２０に対してジャッキアップ用取付部材３０を取り付けてジャッキアップを行ってもよい。
【００８５】
（９）基礎１１の天端を点検又は補修する際には、点検対象又は補修対象の基礎１１上方に設置された建物ユニット２０をジャッキ装置４５により一時的にジャッキアップして点検又は補修を行うことが考えられる。そこでかかる場合に、ジャッキアップ用取付部材３０を建物ユニット２０の各床大梁２３に取り付けて建物ユニット２０のジャッキアップを行ってもよい。
【００８６】
また、ユニット式建物１０では、施工時に各建物ユニット２０を基礎１１上に設置した際、隣り合う建物ユニット２０において床面材２８同士の間に段差が生じる場合があると考えられる。そこでかかる場合に、それら各建物ユニット２０のうち下側の建物ユニット２０にジャッキアップ用取付部材３０を取り付けて、同ユニット２０をジャッキ装置４５によりジャッキアップすることで床面材２８同士の段差を解消するようにしてもよい。
【００８７】
（１０）上記実施形態では、二階建ての建物１０への適用例を説明したが、一階建ての建物や、三階建ての建物に対して本発明を適用してもよい。
【００８８】
（１１）上記実施形態では、ユニット式建物への適用例を説明したが、鉄骨軸組工法により構築される建物や、在来木造工法により構築される建物等、他の構造の建物にも本発明を適用することができる。例えば、鉄骨軸組工法により構築される建物において、基礎１１上に沿って配設された床梁に本発明のジャッキアップ用取付部材を取り付けてジャッキ装置４５によるジャッキアップを行ってもよい。
【符号の説明】
【００８９】
１０…建物、１１…基礎、２０…建物ユニット、２１…柱、２３…床梁としての床大梁、２３ｂ…上フランジ、２４…溝部、３０…ジャッキアップ用取付部材、３１…床梁取付部、３２…押し上げ力付与部、３３ａ…押圧面部としての平面部、４５…ジャッキ装置。
【図１】
0005937883.tif 000002
【図２】
0005937883.tif 000003
【図３】
0005937883.tif 000004
【図４】
0005937883.tif 000005
【図５】
0005937883.tif 000006
【図６】
0005937883.tif 000007
【図７】
0005937883.tif 000008
【図８】
0005937883.tif 000009
【図９】
0005937883.tif 000010